(57)【要約】【課題】自転車用の簡易屋根として、特に走行時における前方からの雨滴に対し、乗員を適切に保護することが可能な簡易屋根を提供する。【解決手段】本実施の形態に係る自転車用簡易屋根１は、平面視略Ｕ字状に形成されるとともに、側面視略アーチ状に形成されたパイプ材から成る枠体２と、枠体２の前面部側を保持する支持フレーム３と、枠体２に取り付けられたルーフ部材４とから構成され、枠体２は、前面部側が、自転車１０のハンドル１４と同程度若しくはハンドル１４よりも幅広となるように形成されている。【選択図】      図１
2004330884.tif 000002
【特許請求の範囲】
【請求項１】
自転車の乗員の上方及び前方を覆うルーフ部材と、当該ルーフ部材を保持する枠体とを備えた自転車用簡易屋根であって、
前記枠体は、前面部がハンドル幅と同程度若しくはハンドル幅よりも幅広に設定され、当該前面部が、自転車の車体に固定された支持フレームにより支持されることを特徴とする自転車用簡易屋根。
【請求項２】
前記支持フレームは、自転車のハンドル軸に取り付けられる支持部と、当該支持部に対して回動可能に軸支され、前記枠体前面部を保持する枠体保持部とから構成されることを特徴とする請求項１に記載の自転車用簡易屋根。
【請求項３】
前記ルーフ部材は、上面部の両側端から下方に延長して形成された所定幅の側面部を有することを特徴とする請求項１又は２に記載の自転車用簡易屋根。
【発明の詳細な説明】
【０００１】
【発明の属する技術分野】
本発明は、降雨，紫外線の照射等から、主に自転車等の乗員を保護するための簡易屋根に関する。
【０００２】
【従来の技術】
従来より、降雨時に自転車を利用する場合には、一方の手で傘を持ち、他方の手でハンドルを操作することが行われているが、前方から吹き込む雨から乗員を十分に保護しきれないこと及び片手運転となるためハンドル操作が不安定になること等の問題があるため、自転車を利用する乗員の前方及び上方をカバーする簡易屋根として、自転車のフレーム等に固定された枠体と、当該枠体に張設される屋根シート材とを備える構成が公知となっている（例えば、特許文献１，２参照。）。
【０００３】
【特許文献１】
特開２００１−４８０７６号公報
【特許文献２】
特開平０８−１０４２７６号公報
【０００４】
【発明が解決しようとする課題】
しかし、前記各特許文献に記載の簡易屋根の構造では、前記枠体の前端側が自転車のハンドルの中央部付近又は自転車前面側の買い物カゴに直接固定されていたため、枠体全部の幅がハンドル幅よりも狭いか、買い物カゴと同程度の幅に限定されていた。従って、枠体に張設される屋根シートが乗員の肩幅程度しか無く、正面側からの雨滴を適切に防ぐことができなかった。即ち、ハンドルの形状によっては、ハンドルのグリップ部が乗員の肩幅よりも外側に位置するため、乗員の腕部を十分にカバーすることができなかった。特に、自転車走行時には、前方からの雨滴が強くなるため、前方側を適切に保護できなければ降雨に対する遮蔽材としての機能を十分に果たさないこととなる。
この場合、前記枠体の前端側をハンドルの両端部に固定させることも考えられるが、その場合は、乗員にとってハンドル操作がしにくいものとなるため、走行時における安全性を確保することができないという問題があった。
【０００５】
本発明は、前記課題を解決するためのものであり、自転車用の簡易屋根として、特に走行時における前方からの雨滴に対し、乗員を適切に保護することが可能な簡易屋根を提供することを目的とする。
【０００６】
【課題を解決するための手段】
上記の課題を解決するため本発明は、自転車の乗員の上方及び前方を覆うルーフ部材と、当該ルーフ部材を保持する枠体とを備えた自転車用簡易屋根であって、前記枠体は、前面部がハンドル幅と同程度若しくはハンドル幅よりも幅広に設定され、当該前面部が、自転車の車体に固定された支持フレームにより支持されることを特徴とする。従って、保持部材に保持された枠体前面部に位置するルーフ部材により、正面側からの雨等に対して適切に乗員を保護することが可能となる。
この場合、前記支持フレームは、自転車のハンドル軸に取り付けられる支持部と、当該支持部に対して回動可能に軸支され、前記枠体前面部を保持する枠体保持部とから構成することにより、簡易屋根を取り付けた状態であっても、ハンドルの動作に応じて前記支持部が回動することとなるため、乗員のハンドル操作に与える影響を少なくすることができる。
【０００７】
さらに、前記ルーフ部材に、上面部の両側端から下方に延長して形成された所定幅の側面部を設けることにより、斜め方向からの雨等に対しても乗員を適切に保護することが可能とすることができる。
【０００８】
【発明の実施の形態】
以下、本発明の実施の形態について、図面に基づき説明する。
図１は、本発明の一実施の形態に係る自転車用簡易屋根を取り付けた状態を示す全体斜視図であり、図２は、本実施の形態に係る自転車用簡易屋根の全体構成を示す分解斜視図である。
本実施の形態に係る自転車用簡易屋根１は、平面視略Ｕ字状に形成されるとともに、側面視略アーチ状に形成されたパイプ材から成る枠体２と、枠体２の前面部側を保持する支持フレーム３と、枠体２に取り付けられたルーフ部材４とから構成される。
枠体２の後部下端は、自転車１０のフレーム１１を構成する２本のシートステイ１２，１２に対して、固定具２ａにより固定される。枠体２の前面部下端は、自転車前部の買い物カゴ１３の下方に位置するように保持される。枠体２は、前面部側が、自転車１０のハンドル１４と同程度若しくはハンドル１４よりも幅広となるように形成されるとともに、後部に向かって細幅となるように形成されている。
枠体２の後部は、伸縮可能に構成されており、自転車１０の利用者の座高に合わせて、ルーフ部材４の高さ位置を調整可能としている。
【０００９】
支持フレーム３は、ハンドルステイのハンドル軸部１５に取り付けられた固定具３ａにより下端部が固定される支持部３ｂと、支持部３ｂ上端においてボルト及びナットにより回動可能に軸支された略Ｔ字状の枠体保持部３ｃとから構成される。この場合、枠体保持部３ｃの軸支位置は、ハンドル１４の回動操作への影響との関係から、ハンドル軸の延長線上の位置に設定することが好ましい。Ｔ字状の枠体保持部３ｃの左右両端部には略Ｃ字状の板バネを有し、板バネで枠体２の前面側左右両側部の略中央を握持させることにより、枠体２を保持した状態とする。
【００１０】
ルーフ部材４は、防水性を有する樹脂材により形成されており、略アーチ状の樹脂成形板から成る天板部４ａと、天板部４ａの両側端から下方向に延長する所定幅の側面部４ｂと、天板部４ａの前端に取り付けられた透視性を有する樹脂成形板から成る前面部４ｃとが一体成形されて構成される。天板部４ａ及び前面部４ｃの外周端部の形状は、枠体２に対応して形成されている。側面部４ｂは、軟質の樹脂シート材で形成され、斜め方向からの雨を適切に防ぐ一方、自転車の乗降時に邪魔とならない程度の幅に設定される。天板部４ａの裏面側には、天板部４ａの両側端間を横断する薄板状の補強部材５が所定間隔で取り付けられており、補強部材５の左右先端部には、Ｃ字状の板バネで構成された枠体保持部５ａが形成されている。また、前面部４ｃの外周端には、スナップ止めにより枠体を保持する複数の枠体保持具４ｄが所定間隔をおいて取り付けられている。
なお、天板部４ａの前端に取り付けられた補強部材５には、略中央位置に貫通孔５ｂが形成されており、貫通孔５ｂに手動のワイパー部材６が挿通されている。ワイパー部材６の操作部６ａは、ハンドル１０の上方に位置する。ワイパー部材６のワイパーブレード６ｂは、前面部４ｃにおいて、乗員の視界領域に相当する部位の雨滴除去が可能な程度の長さを有する。
また、枠体２の前面部には、反射材により構成されたシグナルプレート７が取り付けられており、操作部７ａの操作に応じて後方から来る車両等に対して合図を送ることができる。また、枠体２の後部には、反射板８が取り付けられている。
【００１１】
以上のように構成された本実施の形態に係る自転車用簡易屋根１では、枠体２の後部下端を固定具２ａにより自転車のシートステイ１２に固定し、また、支持フレーム３の支持部３ｂの下端を固定具３ａによりハンドル軸部１５に固定するとともに、支持フレーム３の枠体保持部３ｃに枠体２の前部を保持させる。その後、ルーフ部材４を枠体２に載置するようにして、天板部４ａの裏面側に設けられた枠体保持部５ａにより、枠体２の上部を保持させるとともに、前面部４ｃの外周端に取り付けられた枠体保持具４ｄにより枠体２の前部を保持させることにより、自転車用簡易屋根１を自転車１０に取り付ける。
自転車用簡易屋根１を自転車１０に取り付けた状態とすることにより、降雨時にも傘を使用すること無く、安全に自転車を利用することが可能となる。即ち、走行時には、主にルーフ部材４の前面部４ｃにより適切に雨を防ぐことが可能となり、停車時には、天板部４ａ及び側面部４ｂにより雨を防ぐことが可能となる。
また、ルーフ部材４の前面部４ｃに付着した雨滴については、ワイパー部材６の操作部を操作することにより、ワイパーブレード６ｂが前面部４ｃの表面側を摺動して除去することが可能となる。
また、紫外線に対して遮蔽性を有する樹脂材を用いてルーフ部材４を構成することにより、晴天時には紫外線防止に用いることができる。
また、シグナルプレート７を、右左折の際の方向指示器として利用することが可能となる。
なお、枠体２及び支持フレーム３を自転車１０に固定した状態であれば、枠体保持部，枠体保持具の取り外しにより、簡易にルーフ部材４の着脱を行うことができ、ルーフ部材４の洗浄作業を容易なものとすることができる。
【００１２】
以上のように、本実施の形態では、簡易屋根を構成するルーフ部材の前面部が、ハンドルと同程度若しくはハンドルよりも幅広に構成されているので、正面側からの雨に対して適切に乗員を保護することが可能となる。また、天板部の両側端から下方に延長する所定幅の側面部を設けたので、正面側からの雨からだけでなく斜め方向からの雨からも乗員を適切に保護することが可能となる。
また、枠体前面部を保持する支持フレーム３を備えたので、ハンドル幅以上の所定幅に形成された枠体前面部を適切に保持することが可能となる。また、支持フレーム３を、ハンドル軸に固定された支持部と、支持部の前端に対し回動可能に軸支された枠体保持部とから構成したので、簡易屋根を取り付けた状態であってもハンドルの回動動作に連動して枠体保持部が回動するため、乗員のハンドル操作に与える影響を最小限とすることができる。
また、ルーフ部材の側面部を軟質の樹脂シート材等により構成することで、自転車への乗降の際に、乗員の頭が側面部にぶつかった場合の怪我等を極力防止することができる。
また、ルーフ部材の前面部を保持する枠体の前面側下端を買い物カゴの下方位置まで延長して形成することとしたので、乗員の膝付近についても、ルーフ部材の前面部により降雨等から適切に保護することができる。
また、ルーフ部材を枠体から容易に着脱可能としたので、ルーフ部材の洗浄等を容易に行うことができる。
【００１３】
なお、本実施の形態では、ルーフ部材について、天板部と前面部とを一体成形することとして説明したが、これに限られるものでは無く、前面部については天板部とは別体に構成し、枠体前面部に風防を固定することとしてもよい。
また、ワイパー部材として、手動ではなく電動のものを用いるとともに、ルーフ部材の上面側に太陽電池を取り付けることとしてもよい。
また、枠体後部に取り付けた反射板の変わりに、電動で点灯又は点滅するテールランプを備えることとしてもよい。
また、ルーフ部材の天板部を分割して、天頂よりも後方の位置で重ね合わせることにより、風抜き部を形成することとしてもよい。
【００１４】
【発明の効果】
以上、説明したように、本発明の自転車用簡易屋根によれば、次のような効果を奏する。
（１）自転車用簡易屋根の前面部をハンドル幅と同程度又はハンドル幅よりも幅広に形成するとともに、前面部を保持する支持フレームを備えることとしたので、走行時における前方からの雨滴に対して、乗員を適切に保護することが可能となる。
（２）また、支持フレームを、車体に固定される支持部と、支持部に対して回動可能なように軸支する枠体保持部とから構成することにより、自転車のハンドルの回動動作に連動して枠体の前面部が回動するため、乗員のハンドル操作に与える影響を少なくすることができる。
（３）また、自転車用簡易屋根の面部の両側端から下方に延長して形成された所定幅の側面部を設けることにより、斜め方向からの雨等に対しても乗員を適切に保護することが可能とすることができる。
【図面の簡単な説明】
【図１】本発明の一実施の形態に係る自転車用簡易屋根の取り付け状態を示す斜視図である。
【図２】本発明の一実施の形態に係る自転車用簡易屋根の全体構造を示す分解斜視図である。
【符号の説明】
１  自転車用簡易屋根
２  枠体
３  支持フレーム
３ｂ  支持部
３ｃ  枠体保持部
４  ルーフ部材
４ａ  天板部
４ｂ  側面部
４ｃ  前面部
５  補強部材
【図１】
2004330884.tif 000003
【図２】
2004330884.tif 000004